(57)【要約】【課題】  特にハサミの所定位置に巻尺及びメジャー部が設けられる巻尺付きハサミを提供する。【解決手段】  本考案は、中段部に設けられるピン（２０）により重なるように交差可能に枢設される外刃（１０A）と内刃（１０B）とを有し、該外刃（１０A）と内刃（１０B）の前端部にそれぞれ対応する刃体（１１）が設けられると共に、後端部にそれぞれハンドル（１２）が設けられ、更に該２つのハンドル（１２）の外側にそれぞれカバー体（３０A,３０B）が被装され、該各カバー体（３０A,３０B）の中央部にそれぞれ指穴（１３）が形成されるハサミであって、  前記ハンドル（１２）におけるカバー体（３０A,３０B）の何れかに巻尺（４０）が設けられることを特徴とする。【選択図】  図２
0003125944.tif 000002
【実用新案登録請求の範囲】
【請求項１】
中段部に設けられるピン（２０）により重なるように交差状に枢転可能な外刃（１０A）と内刃（１０B）とを有し、該外刃（１０A）と内刃（１０B）の前端部にそれぞれ対応する刃体（１１）が設けられると共に、後端部にそれぞれハンドル（１２）が設けられ、更に該２つのハンドル（１２）の外側にそれぞれカバー体（３０A,３０B）が被装され、該各カバー体（３０A,３０B）の中央部にそれぞれ指穴（１３）が形成されるハサミであって、
前記ハンドル（１２）におけるカバー体（３０A,３０B）の何れかに巻尺（４０）が設けられることを特徴とする巻尺付きハサミ。
【請求項２】
前記カバー体（３０A,３０B）は、射出成形によりハンドル（１２）に被装され、その内、カバー体（３０A）の後端部に前記巻尺（４０）を収容するための一側が開口する収容部（３１）が形成され、該収容部（３１）の開口部にカバー（３３）が取り付けられることを特徴とする請求項１に記載の巻尺付きハサミ。
【請求項３】
前記巻尺（４０）は、回転可能に収容部（３１）に設置されるプーリー（４１）、該プーリー（４１）に巻回される巻尺テープ（４２）及び該巻尺テープ（４２）の末端に設けられ、前記カバー体（３０A）から突出する掛止端（４３）を含み、
前記カバー体（３０A）に、収容部（３１）を外部と連通させる孔部（３４）が形成され、該孔部（３４）から前記巻尺テープ（４２）が突出することを特徴とする請求項２に記載の巻尺付きハサミ。   
【考案の詳細な説明】
【技術分野】
【０００１】
本考案は、特にハサミの所定位置に巻尺及びメジャー部が設けられる巻尺付きハサミに関するものである。
【背景技術】
【０００２】
現在、一般に使用されているハサミは、内刃と外刃とを重なるようにピンで枢設され、該内刃及び外刃の前端部にそれぞれ刃体が設けられると共に、後端部にそれぞれハンドルが設けられる構成を有する。
【考案の開示】
【考案が解決しようとする課題】
【０００３】
前記現有のハサミは、その殆どが単純な機能しか備えていないため、消費者を十分に満足させることができなかった。このことから、更なる機能を備えた使い勝手のよいハサミが要求されていた。
【課題を解決するための手段】
【０００４】
本考案の請求項１は、中段部に設けられるピン（２０）により重なるように交差状に枢転可能な外刃（１０A）と内刃（１０B）とを有し、該外刃（１０A）と内刃（１０B）の前端部にそれぞれ対応する刃体（１１）が設けられると共に、後端部にそれぞれハンドル（１２）が設けられ、更に該２つのハンドル（１２）の外側にそれぞれカバー体（３０A,３０B）が被装され、該各カバー体（３０A,３０B）の中央部にそれぞれ指穴（１３）が形成されるハサミであって、
前記ハンドル（１２）におけるカバー体（３０A,３０B）の何れかに巻尺（４０）が設けられることを特徴とする巻尺付きハサミを提供するものであり、
本考案の請求項２は、前記カバー体（３０A,３０B）は、射出成形によりハンドル（１２）に被装され、その内、カバー体（３０A）の後端部に前記巻尺（４０）を収容するための一側が開口する収容部（３１）が形成され、該収容部（３１）の開口部にカバー（３３）が取り付けられることを特徴とする請求項１に記載の巻尺付きハサミを提供するものであり、
本考案の請求項３は、前記巻尺（４０）は、回転可能に収容部（３１）に設置されるプーリー（４１）、該プーリー（４１）に巻回される巻尺テープ（４２）及び該巻尺テープ（４２）の末端に設けられ、前記カバー体（３０A）から突出する掛止端（４３）を含み、
前記カバー体（３０A）に、収容部（３１）を外部と連通させる孔部（３４）が形成され、該孔部（３４）から前記巻尺テープ（４２）が突出することを特徴とする請求項２に記載の巻尺付きハサミを提供するものである。
【考案の効果】
【０００５】
本考案は上記の課題を解決するものであり、中段部に設けられるピン（２０）により重なるように交差状に枢転可能な外刃（１０A）と内刃（１０B）とを有し、該外刃（１０A）と内刃（１０B）の前端部にそれぞれ対応する刃体（１１）が設けられると共に、後端部にそれぞれハンドル（１２）が設けられ、更に該２つのハンドル（１２）の外側にそれぞれカバー体（３０A,３０B）が被装され、該各カバー体（３０A,３０B）の中央部にそれぞれ指穴（１３）が形成されるハサミであって、前記ハンドル（１２）におけるカバー体（３０A,３０B）の何れかに巻尺（４０）が設けられる。
【０００６】
また、前記１つの刃体（１１）の背面に平坦刃背（１４）が設けられ、該平坦刃背（１４）と隣接する刃体（１１）の背面にメジャー部（１５）が設けられ、該メジャー部（１５）と隣接する、平坦刃背（１４）側の刃体（１１）の表面に等間隔で複数の目盛（１５１）が設けられ、目盛（１５１）の隣に、該目盛（１５１）と対応する単位目盛（１５２）が設けられることが好ましい。
【０００７】
また、前記カバー体（３０B）における指穴（１３）の後端部に、指掛け凸部が設けられることが好ましい。
【０００８】
また、前記カバー体（３０A,３０B）は、射出成形によりハンドル（１２）に被装され、その内、カバー体（３０A）の後端部に前記巻尺（４０）を収容するための一側が開口する収容部（３１）が形成され、該収容部（３１）の開口部にカバー（３３）が取り付けられることが好ましい。
【０００９】
また、前記巻尺（４０）は、回転可能に収容部（３１）に設置されるプーリー（４１）、該プーリー（４１）に巻回される巻尺テープ（４２）及び該巻尺テープ（４２）の末端に設けられ、前記カバー体（３０A）から突出する掛止端（４３）を含むと共に、該カバー体（３０A）に、収容部（３１）を外部と連通させる孔部（３４）が形成され、該孔部（３４）から前記巻尺テープ（４２）が突出することが好ましい。
【００１０】
本考案は上記の構成を有するので、以下に示すような効果がある。
１．本考案は、ハサミに設けられたハンドルの後端部に巻尺が設けられることから、通常のハサミの機能以外に、巻尺による長さの計測機能も備えているので、実用性に優れている。
２．本考案に係るハサミの刃体の背面にメジャー部が設けられることから、他の定規等を用いなくても、該メジャー部により長さの計測や線を引くことができるので、使用上、非常に便利である。
３．本考案に係るカバー体の後端部に設けられる指掛け凸部は、人体工学に基づいて設計されたものであることから、指を掛けやすいので、ハサミがより使いやすくなる。
【考案を実施するための最良の形態】
【００１１】
以下、添付図面を参照して本考案の好適な実施の形態を詳細に説明する。
【実施例】
【００１２】
図１は本考案に係る巻尺付きハサミの斜視図であり、図２は本考案に係る巻尺付きハサミの分解斜視図であり、図３は本考案に係る巻尺付きハサミの使用状態を示す平面図であり、図４は本考案に係る巻尺付きハサミの巻尺から、巻尺テープを引き出した状態を示す斜視図である。
【００１３】
図１及び図２に示すように、本考案の巻尺付きハサミは、中段部に設けられるピン（２０）により重なるように交差状に枢転可能な外刃（１０A）と内刃（１０B）とを有し、該外刃（１０A）と内刃（１０B）の前端部にそれぞれ対向するように刃体（１１）が設けられると共に、後端部にそれぞれ、使用者が握持するための略リング状のハンドル（１２）が設けられ、該各ハンドル（１２）の中央にそれぞれ、使用者が握持する時に指が挿入される指穴（１３）が形成され、更に、該１つのハンドル（１２）に巻尺（４０）が設けられ、１つの刃体（１１）にメジャー部（１５）が設けられる。
【００１４】
また、図１及び図３に示すように、前記１つの刃体（１１）の背面に平坦刃背（１４）が設けられ、該平坦刃背（１４）と隣接する刃体（１１）の背面に長さの計測や線を引くためのメジャー部（１５）が設けられる。このことから、該メジャー部（１５）における、平坦刃背（１４）側の刃体（１１）の表面に等間隔で複数の目盛（１５１）が設けられると共に、前記目盛（１５１）の隣に、該目盛（１５１）と対応する単位目盛（１５２）が設けられる。
【００１５】
前記構成によれば、図３に示すように、ハサミのメジャー部（１５）により長さの計測や線を引く機能を提供することができる。
【００１６】
更に、図１及び図２に示す本実施例においては、前記外刃（１０A）と内刃（１０B）におけるハンドル（１２）の外側にそれぞれ射出成形によりプラスチックのカバー体（３０A,３０B）が被装され、該カバー体（３０A）の後端部に巻尺（４０）が設けられる。また、同図に示す該カバー体（３０A）は略水滴状を呈すると共に、後端部に前記巻尺（４０）を収容するための一側が開口する収容部（３１）が形成され、該収容部（３１）の最大径部である中央に軸（３２）が設けられる。そして、前記収容部（３１）内に巻尺（４０）が取り付けられ、該収容部（３１）の開口部にカバー（３３）が取り付けられる、この時、本実施例ではカバー（３３）にネジを貫通させ軸（３２）に螺合する固定方法を採用している。更に、前記巻尺（４０）が取り付けられる収容部（３１）の先端部に外部と連通する孔部（３４）が形成される。
【００１７】
前記巻尺（４０）は、回転可能に収容部（３１）に設置されるプーリー（４１）、該プーリー（４１）に巻回される巻尺テープ（４２）及び該巻尺テープ（４２）の末端に設けられ、前記カバー体（３０A）から突出する掛止端（４３）を含み、該プーリー（４１）の中央に該軸（３２）と対応する軸穴（４１１）が形成されると共に、該プーリー（４１）と軸（３２）との間にプーリー（４１）の逆回転させて巻き取るゼンマイバネが設けられる。また、図４に示すように、前記巻尺テープ（４２）の表面に等間隔で目盛及び単位目盛が付されると共に、該巻尺テープ（４２）の末端に前記カバー体（３０A）から突出して該巻尺テープ（４２）の巻取りを停止させる掛止端（４３）が設けられる。
【００１８】
図１及び図３に示すように、本考案は人体工学の手法を取り入れており、前記カバー体（３０B）における指穴（１３）の後端部に指掛け凸部（３５）が設けられ、これにより、使用者がハサミを握持した時、指がよい具合に該指掛け凸部（３５）に引っ掛かるので、作業がよりし易くなる。
【図面の簡単な説明】
【００１９】
【図１】本考案に係る巻尺付きハサミの斜視図である。
【図２】本考案に係る巻尺付きハサミの分解斜視図である。
【図３】本考案に係る巻尺付きハサミの使用状態を示す平面図である。
【図４】本考案に係る巻尺付きハサミの巻尺から巻尺テープを引き出した状態を示す斜視図である。
【符号の説明】
【００２０】
１０A        外刃
１０B        内刃
１１        刃体
１２        ハンドル
１３        指穴
１４        平坦刃背
１５        メジャー部
１５１        目盛
１５２        単位目盛
２０        ピン
３０A      カバー体
３０B      カバー体
３１        収容部
３２        軸
３３        カバー
３４        孔部
３５        指掛け凸部
４０        巻尺
４１        プーリー
４１１        軸穴
４２        巻尺テープ
４３        掛止端
【図１】
0003125944.tif 000003
【図２】
0003125944.tif 000004
【図３】
0003125944.tif 000005
【図４】
0003125944.tif 000006